(57)【特許請求の範囲】
【請求項１】
前身頃を構成する前身頃シートと、
後身頃を構成する後身頃シートと、
吸収性本体とを備え、
前記吸収性本体は、
前記前身頃シートに接着されている前側接着領域と、
前記後身頃シートに接着されている後側接着領域と、
前記前側接着領域と前記後側接着領域との間の領域であり、左右一対の脚周り開口部よりも上側に位置する股下領域と、
前記股下領域から左側下方および右側下方に延出する左右一対の羽根部とを備え、
前記羽根部の各々は、
前記前身頃シートにおける内股側端部に接着されている前側縁部と、
前記後身頃シートにおける内股側端部に接着されている後側縁部と
を備える吸収性物品。
【請求項２】
前記羽根部における前記股下領域に対する基端部において、
前記前側縁部から前記股下領域にかけての左右方向の領域が前記前身頃シートに対して接着されているとともに、
前記後側縁部から前記股下領域にかけての左右方向の領域が前記後身頃シートに対して接着されている
請求項１に記載の吸収性物品。
【請求項３】
前記前身頃シートと前記後身頃シートには、前記股下領域の下側に切り込み部を備え、前記切り込み部によって前記前身頃シートにおける内股側端部と前記後身頃シートにおける内股側端部とが構成されている
請求項１または２に記載の吸収性物品。
【請求項４】
前記羽根部は、先端部の幅より基端部の幅の方が狭い
請求項１ないし３の内、何れか１項に記載の吸収性物品。
【請求項５】
前記吸収性本体は、前記前側接着領域および前記後側接着領域の幅より前記股下領域の幅のほうが狭い
請求項１ないし４の内、何れか１項に記載の吸収性物品。
【請求項６】
前記吸収性本体は、吸収体がトップシートとバックシートとに挟まれて構成されており、
前記吸収体は、前記股下領域に相当する部分に、長手方向に対して直交する方向に内側にくびれるくびれ部を備え、
前記吸収性本体は、前記くびれ部の存在により前記吸収体が存在しない柔軟性部を備える
請求項１ないし５の内、何れか１項に記載の吸収性物品。
【発明の詳細な説明】
【技術分野】
【０００１】
本発明は、前身頃シートと後身頃シートと吸収性本体とを備える吸収性物品に関する。
【背景技術】
【０００２】
吸収性物品としての使い捨ておむつは、矩形形状を有する前身頃シートおよび後身頃シートと、前身頃シートと後身頃シートとの間に配置される吸収性本体とを備えている。このおむつは、前身頃シートと後身頃シートの左右両端部が接合された状態で、上端部に、胴回り開口部が構成され、下端部に、吸収体の両側に一対の脚回り開口部が構成される。特許文献１に記載されたおむつは、ボクサーパンツのように、着用者の鼠頸部から太股部分を覆う一対の脚回り被覆部を備え、脚回り被覆部の先端部に脚回り開口部を備えている。このような使い捨ておむつは、吸収性本体の両側に脚回り被覆部を備えることで、脚回り被覆部を備えない従来からの使い捨ておむつに比べて、脚回り開口部と鼠頸部との隙間が無くなり、脚回り開口部から排泄物が漏れることを抑制することができる。
【先行技術文献】
【特許文献】
【０００３】
【特許文献１】特開２０１４−１８８１０９号公報
【発明の概要】
【発明が解決しようとする課題】
【０００４】
しかしながら、以上のような構成を備えたボクサーパンツ型の使い捨ておむつにおいて、一対の脚回り開口部の直径は、胴回り開口部の直径に依存する。すなわち、胴回り開口部の直径を小さくすれば、その分、脚回り開口部の直径も小さくなり、胴回り開口部の直径を大きくすれば、その分、脚回り開口部の直径も大きくなる。
【０００５】
したがって、胴回り開口部に適した胴回り寸法を有した着用者であっても、当該着用者の太股部分が平均より大幅に太い着用者などは、脚回り開口部の部分がきつくなってしまう。一方、このような着用者に対して、太股部分の太さに合わせた脚回り開口部を備えた使い捨ておむつを設計すると、胴回り開口部が大きくなり過ぎてしまう。
【０００６】
加えて、太股部分の太さに合わせて脚回り開口部を設計した場合には、前身頃シートや後身頃シートも大きくなり、その分、資材も多く使う必要が生じる。また、使い捨ておむつが胴回りからずり落ちないようにするための胴回りギャザーも多く必要となる。
【０００７】
本発明は、胴回り開口部の大きさに依存することなく脚回り開口部を広く設けることを可能とした吸収性物品を提供することを目的とする。
【課題を解決するための手段】
【０００８】
上記課題を解決するための吸収性物品は、前身頃を構成する前身頃シートと、後身頃を構成する後身頃シートと、吸収性本体とを備える。前記吸収性本体は、前記前身頃シートに接着されている前側接着領域と、前記後身頃シートに接着されている後側接着領域と、前記前側接着領域と前記後側接着領域との間の領域であり、左右一対の脚周り開口部よりも上側に位置する股下領域と、前記股下領域から左側下方および右側下方に延出する左右一対の羽根部とを備える。前記羽根部の各々は、前記前身頃シートにおける内股側端部に接着されている前側縁部と、前記後身頃シートにおける内股側端部に接着されている後側縁部とを備える。
上記構成によれば、脚回り開口部の大きさを、羽根部の幅の分大きくすることができる。
【０００９】
上記吸収性物品において、前記羽根部における前記股下領域に対する基端部において、前記前側縁部から前記股下領域にかけての左右方向の領域が前記前身頃シートに対して接着されているとともに、前記後側縁部から前記股下領域にかけての左右方向の領域が前記後身頃シートに対して接着されている構成としてもよい。
上記構成によれば、股下領域と、前側縁部または後側縁部との間に隙間が形成されないようにすることができる。
【００１０】
上記吸収性物品において、前記前身頃シートと前記後身頃シートには、前記股下領域の下側に切り込み部を備え、前記切り込み部によって前記前身頃シートにおける内股側端部と前記後身頃シートにおける内股側端部とが構成されているようにしてもよい。
上記構成によれば、切り込み部によって、左右一対の脚回り開口部を分離することができ、着用者の脚を動かしやすくすることができる。
【００１１】
上記吸収性物品において、前記羽根部は、先端部の幅より基端部の幅の方が狭い構成としてもよい。
上記構成によれば、着用者の股下に接触する部分が狭くなり、着用感を向上させることができる。
【００１２】
上記吸収性物品において、前記吸収性本体は、前記前側接着領域および前記後側接着領域の幅より前記股下領域の幅のほうが狭い構成としてもよい。
上記構成によれば、着用者の股下に接触する部分が狭くなり、着用感を向上させることができる。
【００１３】
上記吸収性物品において、前記吸収性本体は、吸収体がトップシートとバックシートとに挟まれて構成されており、前記吸収体は、前記股下領域に相当する部分に、長手方向に対して直交する方向に内側にくびれるくびれ部を備える構成としてもよい。前記吸収性本体は、前記くびれ部の存在により前記吸収体が存在しない柔軟性部を備える構成としてもよい。
上記構成によれば、着用者の股下に吸収体の存在しない柔軟性部が存在することで、着用感を向上させることができる。
【発明の効果】
【００１４】
本発明によれば、胴回り開口部の大きさに依存することなく脚回り開口部を広く設けることを可能とした吸収性物品を提供することができる。
【図面の簡単な説明】
【００１５】
【図１】ボクサーパンツ型の使い捨ておむつの斜視図。
【図２】ボクサーパンツ型の使い捨ておむつの平面図。
【図３】吸収性本体の平面図。
【図４】吸収性本体の羽根部が折曲された状態を示す斜視図。
【図５】吸収性本体が２つに折り畳まれた状態において前側接着領域と後側接着領域と第１〜第４接着領域を示す平面図。
【図６】第２実施形態における吸収性本体の平面図。
【図７】第２実施形態において、吸収性本体が２つに折り畳まれた状態を示す平面図。
【図８】第２実施形態において、おむつの股下に形成される切り込み部の変形例を示す正面図。
【発明を実施するための形態】
【００１６】
図面を参照して本発明における吸収性物品を具体化した一実施形態におけるパンツ型使い捨ておむつについて説明する。
〔第１実施形態〕
図１および図２に示すように、パンツ型使い捨ておむつ１０（以下、単に「おむつ１０」という。）は、ボクサーパンツ型のおむつであり、人体の腹部形状に追従する形状を有する前身頃シート１０Ｆと、人体の背部形状に追従する形状を有する後身頃シート１０Ｒと、前身頃シート１０Ｆおよび後身頃シート１０Ｒをつなぐ吸収性本体１１とを備えている。なお、図１および図４では、おむつ１０の上下方向と幅（左右）方向と前後方向とが双頭矢印Ａ，Ｂ，Ｃで示している。
【００１７】
前身頃シート１０Ｆと後身頃シート１０Ｒとは、胴回り方向の左右両端部が接合されて接合部１０Ｊを構成する。そして、接合された前身頃シート１０Ｆと後身頃シート１０Ｒとは、胴回り部１０Ｗを構成し、人体の胴周りの部分を取り囲む胴回り開口部１０Ａを構成している。また、前身頃シート１０Ｆおよび後身頃シート１０Ｒのそれぞれにおける左右両端部および下端部、および、吸収性本体１１における羽根部２１は、人体の太股部分を被覆する筒状形状をした左右一対の脚回り被覆部１０Ｃを構成している。各脚回り被覆部１０Ｃは、先端部、すなわち前身頃シート１０Ｆおよび後身頃シート１０Ｒにおける下端部に、太股部分を取り囲む形状を有した左右一対の脚回り開口部１０Ｌを構成している。
【００１８】
前身頃シート１０Ｆおよび後身頃シート１０Ｒは、液不透過性材料や液透過性材料で形成された不織布などが用いられている。不織布は、ポリオレフィン（ポリエチレン、ポリプロピレンなど）、ポリエステル、脂肪族ポリアミドなどの熱可塑性樹脂から少なくとも１つ選ばれる材料で形成された合成繊維などによって構成されている。また、前身頃シート１０Ｆおよび後身頃シート１０Ｒは、伸縮性不織布などで構成してもよい。なお、このおむつ１０において、専ら排泄物を吸収し保持する機能は、吸収性本体１１が有することとしているので、前身頃シート１０Ｆおよび後身頃シート１０Ｒは、液不透過性材料や液透過性材料などの何れの材料で形成されていてもよい。
【００１９】
前身頃シート１０Ｆおよび後身頃シート１０Ｒには、胴回り部１０Ｗの内で胴回り開口部１０Ａに近い上側領域に、胴回り方向に沿って上部弾性部材１２Ｕが配置されている。また、胴回り部１０Ｗの内で前記上側領域の下側に位置する領域には、胴回り方向に沿って下部弾性部材１２Ｄが配置されている。上部弾性部材１２Ｕは、ウェストギャザーを構成し、下部弾性部材１２Ｄは、タミーギャザーを構成する。タミーギャザーは、ウェストギャザーと相俟って、おむつのフィット性やずり下がり防止効果を一層優れたものとする。また、脚回り被覆部１０Ｃの部分にも、脚回り方向に沿って弾性部材１２Ｌが配置され、脚回り被覆部１０Ｃと太股部分との密着性を向上させて、排泄物の漏れを抑制している。
【００２０】
図３および図４に示すように、吸収性本体１１は、液透過性を有したトップシート１３と、吸収体１４と、液不透過性を有したバックシート１５とを備えている。トップシート１３は、着用者の肌と接する内側に配置され、バックシート１５は、外側に配置される。そして、おむつ１０において、外側から肌側に向けて、バックシート１５、吸収体１４、トップシート１３の順に重なっている。なお、バックシート１５の外側には、手触り感を向上させるために、不織布を配置してもよい。
【００２１】
トップシート１３を形成する材料は、例えば、織布、不織布、多孔性フィルムなどから選ばれる１以上の材料である。また、トップシート１３は、例えば、ポリプロピレン、ポリエチレン、ポリエステル、ナイロンのような熱可塑性樹脂の繊維であって親水化処理が施された繊維から構成される液透過性を有した不織布などが用いられる。バックシート１５を形成する材料は、例えば、液不透過性を有したポリエチレン樹脂製のフィルムである。バックシート１５は、通気性を確保するため、微細孔が多数形成されていることが好ましい。
【００２２】
吸収体１４を形成する材料は、例えば、フラッフパルプ、高吸収性ポリマー、親水性シートなどの吸収性材料である。吸収体１４は、前身頃シート１０Ｆおよび後身頃シート１０Ｒに跨るように細長い帯形状を有し、両側縁部それぞれの長手方向に沿った中央部分に着用者の鼠頸部に対応して内側にくびれるくびれ部１４Ａを備えている。そして、吸収体１４は、コアラップによって包まれ、トップシート１３とバックシート１５との間に配置され接合される。
【００２３】
以上のように構成された吸収性本体１１は、全体が帯状形状を有し、長手方向の両側縁部の中央部に、吸収体１４のくびれ部１４Ａによって吸収体１４が存在しない柔軟性部１６が構成されている。トップシート１３とバックシート１５の側縁部が重なって構成された柔軟性部１６は、吸収体１４が存在しないので、吸収体１４が配置された部分より柔らかく、着用者の鼠頸部の形状に倣って撓みやすくなっている。
【００２４】
以上のように構成された吸収性本体１１は、長手方向における一端部側において、前身頃シート１０Ｆの内面と接着される前側接着領域１７を備えており、一端部と反対側の他端部側において、後身頃シート１０Ｒの内面と接着される後側接着領域１８を備えている。また、前側接着領域１７と後側接着領域１８との間は、股下領域１９となる。股下領域１９は、前身頃シート１０Ｆと後身頃シート１０Ｒの何れにも接着されない非接着領域１９Ａを含んでいる。
【００２５】
さらに、吸収性本体１１は、長手方向に対して交差する両方向に延出する羽根部２１を備えている。各羽根部２１は、吸収性本体１１の長手方向の側縁部に対して直交する左右方向に延出した矩形片であり、脚回り被覆部１０Ｃの内股部分である内股部１０Ｉ（図１および図２参照。）を構成し、各羽根部２１の先端部は、内股部１０Ｉにおいて脚回り開口部１０Ｌの一部を構成する。各羽根部２１における先端部から股下領域１９との基端部２１Ａまでの寸法は、脚回り被覆部１０Ｃの長さ寸法、すなわち股下領域１９から脚回り開口部１０Ｌまでの股下寸法を設定する要素となる。また、各羽根部２１は、長手方向に沿った互いに向き合う前側縁部２３と後側縁部２４との間隔が脚回り被覆部１０Ｃの太さと脚回り開口部１０Ｌの大きさを決める要素となる。すなわち、脚回り被覆部１０Ｃの太さと脚回り開口部１０Ｌの大きさは、前身頃シート１０Ｆおよび後身頃シート１０Ｒの接合部１０Ｊからそれぞれ前側縁部２３および後側縁部２４と重なる位置までの長さに対して、羽根部２１の幅（接合している範囲を除く。）を加えた長さに設定される。
【００２６】
以上のような羽根部２１は、股下領域１９がトップシート１３を上側にして二つ折りにした状態において、先端部が下方を向くように折曲される。具体的に、羽根部２１は、トップシート１３を上側としたとき、先ず、短手方向の中央を長手方向に沿って延びる中心線２０で谷部が上側を向くように谷折りをする。次いで、二枚に重なっている前側縁部２３および後側縁部２４とを外側に開き、内側へ向かって折り、その後、再び閉じる中割り折りをする。これにより、羽根部２１のうちで基端部２１Ａは、中心線２０に沿った谷折りの状態となり、羽根部２１のうちで下方に延びる垂下部２１Ｂは、中心線２０に沿った山折の状態となる。そして、羽根部２１は、先端部が下側を向くように、股下領域１９につながる基端部２１Ａに対してほぼ直角に折れ曲がる。この状態において、垂下部２１Ｂにおける山折りの頂部２２が股下領域１９とは反対側に位置し、長手方向に沿った前側縁部２３と後側縁部２４が股下領域１９側に位置する。
【００２７】
図４および図５に示すように、前側縁部２３は、下端部に向かって前身頃シート１０Ｆの内面に接着される第１接着領域２３Ａを備え、後側縁部２４は、後身頃シート１０Ｒの内面に接着される第２接着領域２４Ａを備える。第１接着領域２３Ａおよび第２接着領域２４Ａは、できるだけ細くし、また、できるだけ縁に寄せて、第１接着領域２３Ａおよび第２接着領域２４Ａから頂部２２までの距離を長くするほど、脚回り被覆部１０Ｃを太くすることができる。第１接着領域２３Ａは、前身頃シート１０Ｆと後身頃シート１０Ｒが接合された状態において、前身頃シート１０Ｆの内股側端部２７に対して接着され、第２接着領域２４Ａは、後身頃シート１０Ｒの内股側端部２７に対して接着される。
また、股下領域１９の側縁部に対して直交する方向に延出した基端部２１Ａには、第１接着領域２３Ａの股下領域１９に近い端部から股下領域１９にかけて左右方向に延び、前身頃シート１０Ｆの内面に接着される第３接着領域２３Ｂが設けられている。また、第２接着領域２４Ａの股下領域１９に近い端部から股下領域１９にかけて左右方向に延び、後身頃シート１０Ｒの内面に接着される第４接着領域２４Ｂが設けられている。第１接着領域２３Ａと第３接着領域２３Ｂ、および、第２接着領域２４Ａと第４接着領域２４Ｂとは、ここでは連続しているが、間に接着剤が塗布されない隙間があってもよい。
【００２８】
以上のように構成されたおむつ１０は、先ず、前身頃シート１０Ｆと後身頃シート１０Ｒが接合される前の状態において、吸収性本体１１の前側接着領域１７が前身頃シート１０Ｆの内面に接着され、後側接着領域１８が後身頃シート１０Ｒの内面に接着される。そして、前身頃シート１０Ｆと後身頃シート１０Ｒとが向かい合うように、吸収性本体１１を二つ折りにする。この際、各羽根部２１も折曲され、基端部２１Ａに対してほぼ直角に垂下する垂下部２１Ｂが形成される。そして、前身頃シート１０Ｆと後身頃シート１０Ｒの左右両端部が接合されると共に、垂下部２１Ｂの第１接着領域２３Ａが前身頃シート１０Ｆの内面における内股側端部２７に相当する位置に接着され、第２接着領域２４Ａが後身頃シート１０Ｒの内面における内股側端部２７に相当する位置に接着される。また、基端部２１Ａの第３接着領域２３Ｂが前身頃シート１０Ｆの内面に接着され、第４接着領域２４Ｂが後身頃シート１０Ｒの内面に接着される。
【００２９】
この際、長手方向に半分に折曲された吸収性本体１１の股下領域１９の折曲端部２６は、前身頃シート１０Ｆおよび後身頃シート１０Ｒの下端部に位置する脚回り開口部１０Ｌより上側に位置する。具体的に、前身頃シート１０Ｆおよび後身頃シート１０Ｒの下端部より垂下部２１Ｂの長さの分上側に位置する。そして、股下領域１９は、前身頃シート１０Ｆおよび後身頃シート１０Ｒの内面に対して非接着領域１９Ａとされる。
【００３０】
なお、吸収性本体１１と前身頃シート１０Ｆおよび後身頃シート１０Ｒとの接着には、例えばホットメルト接着剤などの接着剤が用いられる。
【００３１】
吸収性本体１１の股下領域１９の折曲端部２６と第１接着領域２３Ａと第２接着領域２４Ａとに囲まれる領域は、凹部形状の切り込み部２５が設けられる。これにより、切り込み部２５両側には、一対の脚回り被覆部１０Ｃが設けられる。
【００３２】
次に、以上のように構成されたおむつ１０の作用について説明する。
おむつ１０は、一対の脚回り開口部１０Ｌより着用者の脚が挿入され、着用される。着用者が履いた状態において、吸収性本体１１の股下領域１９は、股下から露出し、また、着用者の股下が当接した状態となる。股下領域１９は、前身頃シート１０Ｆと後身頃シート１０Ｒに対して接着領域ではなく非接着領域１９Ａである。したがって、着用者が、歩行や脚の曲げ伸ばしなどの股関節を大きく動かす動作をしたときであっても、脚回り被覆部１０Ｃの移動に引きずられて股下領域１９が移動してしまうことが抑制され、着用者の鼠蹊部に股下領域１９との間に隙間ができにくくなり、排泄物が漏れにくくなる。仮に股下領域１９の外側に排泄物が漏れることがあっても、脚回り被覆部１０Ｃにおいて、おむつ１０からの排泄物の漏れを防ぐことができる。
【００３３】
また、車椅子などを使用して座位姿勢が長時間続く場合などには、着用者の身体が車椅子などの着座部に対してずり下がり、おむつ１０が腹側に逆にずり上がってしまうことがある。このような場合であっても、おむつ１０は、脚回り被覆部１０Ｃを備えるため、着用者の下側臀部が露出してしまうことを防ぐことができ、座位姿勢が長時間続くような場合であっても、股下から排泄物が漏れにくくなる。
【００３４】
以上、上記実施形態によれば以下に列挙する効果を得ることができる。
（１）脚回り開口部１０Ａの大きさや脚回り被覆部１０Ｃの太さを、吸収性本体１１の羽根部２１によって大きくすることができる。そして、脚回り開口部１０Ａの大きさや脚回り被覆部１０Ｃの太さは、羽根部２１の幅を調節することによって、容易に設定することができる。
（２）脚回り部の股下領域１９から脚回り開口部１０Ａまでの股下長さは、羽根部２１の基端部２１Ａから脚回り開口部１０Ａまでの長さを調節することによって、容易に設定することができる。したがって、一分丈や三分丈のボクサーパンツ型のおむつ１０を容易に製造することができる。
（３）股下領域１９は、前身頃シート１０Ｆおよび後身頃シート１０Ｒに対する非接着領域１９Ａとなるので、羽根部２１が撓みやすくなり、折り畳まれた状態にある羽根部２１が着用時において開きやすくなる。
【００３５】
（４）第３接着領域２３Ｂおよび第４接着領域２４Ｂは、前身頃シート１０Ｆおよび後身頃シート１０Ｒの内面と接着されることで、鼠頸部において、股下領域１９と前身頃シート１０Ｆおよび後身頃シート１０Ｒとの間に隙間が形成されないようにすることができる。したがって、排泄物が股下領域１９から脚回り被覆部１０Ｃへ漏れにくくすることができる。
（５）股下領域１９の下側には、切り込み部２５が設けられることで、左右の脚回り被覆部１０Ｃを分離することができ、着用者の脚が動きやすくなる。
（６）吸収性本体１１は、股下領域１９において、左右両側に吸収体１４のくびれ部１４Ａによって柔軟性部１６が設けられているので、着用感を向上させることができる。
【００３６】
〔第２実施形態〕
図５および図６に示すように、吸収性本体１１において、羽根部２１は、先端部の幅Ｗ１より基端部２１Ａの幅Ｗ２の方が狭くなるように形成されている。これにより、羽根部２１を折り畳んだときに、着用者の股下に対応する部分が狭くなり、着用感を向上させることができる。
【００３７】
また、吸収性本体１１は、前側接着領域１７および後側接着領域１８の幅Ｗ３より股下領域の幅Ｗ４のほうが狭くなるように形成されている。これにより、着用者の股下に対応する股下領域１９を狭くすることができ、着用感を向上させることができる。
【００３８】
さらに、吸収体１４のくびれ部１４Ａの幅Ｗ５が股下領域の幅Ｗ４がより狭くなるように形成され、ここに、トップシート１３とバックシート１５とが重なった柔軟性部１６を構成している。
【００３９】
図７に示すように、羽根部２１の基端部２１Ａの幅を狭くしたときには、垂下部２１Ｂにおける前側縁部２３と後側縁部２４が基端部２１Ａの内側、すなわち股下領域１９の下側に位置する。したがって、右側の前側縁部２３および後側縁部２４と左側の前側縁部２３および後側縁部２４との位置は近くなる。図８に示すように、この場合、切り込み部２５は、凹部形状ではなくスリットで形成することもできる。
【００４０】
なお、上記実施形態は以下のように適宜変更して実施することもできる。
・吸収体１４は、全体形状がくびれ部１４Ａを備えない矩形形状を有していてもよい。この場合、柔軟性部１６は、くびれ部１４Ａが存在しない分、狭いものとなる。
・切り込み部２５は、股下寸法が短い場合割愛してもよい。この場合、脚回り被覆部１０Ｃは、極めて短いものとなる。
・第３接着領域２３Ｂおよび第４接着領域２４Ｂは割愛してもよい。または、第３接着領域２３Ｂおよび第４接着領域２４Ｂの何れか一方を割愛してもよい。
・第３接着領域２３Ｂおよび第４接着領域２４Ｂは、前側接着領域１７および後側接着領域１８とそれぞれつながっていてもよいし、つながっていなくてもよい。
・吸収性物品は、テープ型のおむつであってもよいし、また、幼児用おむつであってもよいし、成人用おむつであってもよい。
【符号の説明】
【００４１】
１０…おむつ、１０Ａ…胴回り開口部、１０Ｃ…脚回り被覆部、１０Ｆ…前身頃シート、１０Ｉ…内股部、１０Ｊ…接合部、１０Ｌ…脚回り開口部、１０Ｒ…後身頃シート、１０Ｗ…胴回り部、１１…吸収性本体、１２Ｄ…下部弾性部材、１２Ｌ…弾性部材、１２Ｕ…上部弾性部材、１３…トップシート、１４…吸収体、１４Ａ…くびれ部、１５…バックシート、１６…柔軟性部、１７…前側接着領域、１８…後側接着領域、１９…股下領域、１９Ａ…非接着領域、２０…中心線、２１…羽根部、２１Ａ…基端部、２１Ｂ…垂下部、２２…頂部、２３…前側縁部、２３Ａ…第１接着領域、２３Ｂ…第３接着領域、２４…後側縁部、２４Ａ…第２接着領域、２４Ｂ…第４接着領域、２５…切り込み部、２６…折曲端部、２７…内股側端部。
【図１】
0006493271.tif 000002
【図２】
0006493271.tif 000003
【図３】
0006493271.tif 000004
【図４】
0006493271.tif 000005
【図５】
0006493271.tif 000006
【図６】
0006493271.tif 000007
【図７】
0006493271.tif 000008
【図８】
0006493271.tif 000009